(57)【特許請求の範囲】
【請求項１】
回転軸（１０）を基準にして半径方向に置かれているシリンダ（１２Ａ）の少なくとも第１グループを備え、各シリンダ（１２Ａ）がシリンダダクトに接続され、前記シリンダ内での滑動に適するピストン（１４Ａ）と協調しているシリンダブロック（６）と、
回転軸（１０）の回りでシリンダブロック（６）を基準にして回転するために取り付けられている反応部材（４Ａ）と、
回転軸（１０）の回りで反応部材（４Ａ）と回転するように抑制され、モータの流体入口ダクトと流体出口ダクト（２４，２６）と前記ダクトを連通させるために、シリンダダクトに接続するのに適切な分配ダクト（３１，３２）を具備している内部流体ディストリビュータ（１６，１１６）と、
第１形状構成において、第１グループのシリンダ（１２Ａ）の第１シリンダダクト（１５Ａ）を分配ダクト（３１，３２）に接続するのに適しており、クラッチ切断と呼ばれる第２形状構成において、前記シリンダダクト（１５Ａ）を流体放出エンクロージャ（４６，４８）と連通させるのに適した選択手段（３４，２３４）であって、ピストン（１４Ａ）が前記クラッチ切断形状構成において、回転軸（１０）に向かって前記シリンダの中に引っ込められるのに適した第１グループのシリンダ（１２Ａ）と協調している選択手段と、
を備える油圧モータであって、
選択手段が、回転軸（１０）の回りでシリンダブロック（６）とともに回転するように抑制され、シリンダの第１グループのシリンダ（１２Ａ）ごとに連通ダクト（４０，２４０）が具備されている単一クラッチ切断セレクタ（３４，２３４）を備え、該セレクタが、連通ダクト（４０，２４０）が第１グループのシリンダ（１２Ａ）のシリンダダクト（１５Ａ）を分配ダクト（３１，３２）に接続できるようにする前記第１形状構成に相当する第１位置、前記クラッチ切断形状構成に相当する第２位置、および前記第１位置と第２位置の間の中間遷移位置を占めるのに適しており、中間遷移位置では第１グループのシリンダ（１２Ａ）のシリンダダクト（１５Ａ）は、分離されたエンクロージャ（１５Ａ、４０、４４、１５Ａ、２４０，４４）を介して互いに接続されることを特徴とする、前記油圧モータ。
【請求項２】
クラッチ切断セレクタが、シリンダブロック（６）内の穴（３６）の中で滑動するために取り付けられているスライド（３４，２３４）により形成され、連通ダクトが、スライド（３４，２３４）の面（３４Ａ）に設けられる連通チャネル（４０、２４０）を備え、第１グループのシリンダ（１２Ａ）のシリンダダクト（１５Ａ）が、シリンダブロック（６）内の前記穴（３６）の中で開いているオリフィス（１５’Ａ）を有し、オリフィスのそれぞれが、それぞれの連通チャネル（４０、２４０）に連続して接続されていることと、シリンダブロック（６）内の穴（３６）に、クラッチ切断セレクタ（３４，２３４）が遷移位置にあるときに連通チャネル（４０，２４０）が、連通チャネル（４０，２４０）が相互に連通するように、接続される相互連通溝（４４）が具備されることを特徴とする、請求項１に記載のモータ。
【請求項３】
第１グループのシリンダ（１２Ａ）のシリンダダクト（１５Ａ）ごとに、前記モータが、シリンダブロック（６）およびディストリビュータ（１６）の相対的な回転の間に分配ダクト（３１，３２）に接続されるように、シリンダブロック（６）の穴（３６）内で開いている第１オリフィス（４２Ａ）およびシリンダブロック（６）の連通面（３０）で開いているオリフィス（４２Ｂ）を有するダクト（４２）により形成されている分配通路を有することと、第１グループ（１２Ａ）のシリンダのシリンダダクト（１５Ａ）ごとに、分配通路（４２）を形成するダクトの第１オリフィス（４２Ａ）、シリンダダクト（１５Ａ）のオリフィス（１５’Ａ）、および相互接続溝（４４）が、クラッチ切断セレクタ（３４）のスライドがその第１位置からその第２位置へ変位される方向でシリンダブロック（６）の穴（３６）内に連続して置かれることを特徴とする、請求項２に記載のモータ。
【請求項４】
第１グループのシリンダ（１２Ａ）のシリンダ（１２Ａ）のシリンダダクト（１５Ａ）ごとに、クラッチ切断セレクタ（３４，２３４）の変位方向で測定されるような、相互接続溝（４４）と前記シリンダダクト（１５Ａ）と関連する分配通路（４２）を形成するダクトの第１オリフィス（４２Ａ）の間の最小距離（ｄ）が、前記シリンダダクト（１５Ａ）と関連する連通チャネル（４０，２４０）の長さ（Ｌ）未満であることを特徴とする請求項３に記載のモータ。
【請求項５】
モータが、クラッチ切断セレクタ（３４，２３４）をその第１位置と第２位置の間で変位させるための制御手段をさらに備え、その制御手段が、その第１位置と第２位置の内の一方に向かって前記セレクタ（３４，２３４）を連続して促すのに適した弾力のある戻り手段（５４，２５４）、およびセレクタ（３４，２３４）をその第１位置と第２位置の他方に向かって促すように制御されるのに適した反対力手段（５８、５８’、５８”、６０、２６２、２６８，２７０）を備えることを特徴とする、請求項１から４のいずれか１つに記載のモータ。
【請求項６】
弾力のある戻り手段（５４）が、その第１位置に向かってセレクタ（３４）を促すことと、反対力手段がモータのステータ部分（１Ａ）に固定されている制御シリンダ（６０）と協調している制御ピストン（５８、５８’、５８”）を備え、前記制御ピストン（５８，５８’、５８”）が、その第２位置に向かってセレクタを促すように前記戻り手段（５４）の戻り力に逆らって変位されるのに適した、請求項５に記載のモータ。
【請求項７】
制御ピストン（５８）が、球形当接手段（５９）を介してクラッチ切断セレクタ（３４）と協調することを特徴とする、請求項６に記載のモータ。
【請求項８】
制御ピストン（５８’）が、ボール手段またはローラ手段（７０）を介してクラッチ切断セレクタ（３４）と協調することを特徴とする、請求項６に記載のモータ。
【請求項９】
制御ピストン（５８”）が、静水当接手段（５８”Ａ、７４、７６，７９）に閉じこめられた流体を使用し静水当接手段（５８”Ａ、７４、７６，７９）を介してクラッチ切断セレクタ（３４）と協調することを特徴とする、請求項６に記載のモータ。
【請求項１０】
反対力手段が、セレクタとシリンダブロック（６）を基準にして固定されている基準パーツ（２５２）の間に設けられている制御チャンバ（２６２）、および前記制御チャンバを流体ソースに接続するのに適した制御ダクト（２６８，２７０）を備えることを特徴とする、請求項５に記載のモータ。
【請求項１１】
弾力のある戻り手段（２５４）が、セレクタ（２３４）をその第２位置に向かって促すことと、反対力手段がセレクタ（２３４）をその第１位置に向かって促すように制御されるのに適していることとを特徴とする、請求項５または１０に記載のモータ。
【請求項１２】
制御ダクト（２６８，２７０）が、基準パーツ（２５０）内に設けられている第１セグメント（２６８）、およびモータのケーシング部分（１’Ａ）内に設けられている第２セグメント（２７０）を備え、前記第１セグメントと第２セグメントが、回転密封手段（２７２）によってともに接続されていることを特徴とする、請求項１０に記載のモータ。
【請求項１３】
弾力のある戻り手段（２５４）が、セレクタ（２３４）をその第２位置に向かって促すことと、反対力手段がセレクタ（２３４）をその第１位置に向かって促すように制御されるのに適しており、
制御ダクト（２６８，２７０）が、基準パーツ（２５０）内に設けられている第１セグメント（２６８）、およびモータのケーシング部分（１’Ａ）内に設けられている第２セグメント（２７０）を備え、前記第１セグメントと第２セグメントが、回転密封手段（２７２）によってともに接続されている
ことを特徴とする、請求項５または請求項１０に記載のモータ。
【請求項１４】
前記流体放出エンクロージャ（４６，４８）が減圧チャンバ（４６）を備え、前記減圧チャンバ（４６）が、それがその第１位置からその第２位置に変位される方向でその下流側面に位置するクラッチ切断セレクタ（３４）のその端部（３４Ｂ）に設けられることと、前記セレクタ（３４）がその第２位置にあるときに、第１グループ（１２Ａ）のシリンダのシリンダダクト（１５’Ａ）が前記チャンバ（４６）に接続されることとを特徴とする、請求項１から１３のいずれか１つに記載のモータ。
【請求項１５】
減圧チャンバ（４６）が、圧力を受けない（ｐｒｅｓｓｕｒｅ−ｆｒｅｅ）タンクに接続されている漏れ戻りダクト（４８）と連通していることを特徴とする、請求項１４に記載のモータ。
【請求項１６】
減圧チャンバ（４６）が、小さい断面の少なくとも１つの通路（７８）を介して流体戻りダクト（４８）に接続されることを特徴とする、請求項１５に記載のモータ。
【請求項１７】
減圧チャンバ（４６）が、流体が、前記チャンバ（４６）が空にされる方向だけで流れることができるようにする非戻り弁（８２）を介して反応部材（４Ａ）の下に位置するモータの内側空間（５０）と連通することを特徴とする、請求項１４または１５に記載のモータ。
【請求項１８】
反応部材（４Ａ）の下に位置するモータの内側空間（５０）が、校正済み弁（５２）を介して圧力を受けないタンクに接続される漏れ戻りダクト（４８）と連通することを特徴とする、請求項１から１７のいずれか１つに記載のモータ。
【請求項１９】
シリンダブロック（６）が、回転軸（１０）を基準にして半径方向に置かれるシリンダ（１２Ｂ）の第２部グループを有し、第２グループの各シリンダが、シリンダブロック（６）の連通面（３０）に直接的に接続されるそれぞれのシリンダダクト（１５Ｂ）に接続されており、その面が、クラッチ切断セレクタ（３４）の位置とは無関係に、シリンダブロック（６）およびディストリビュータ（１６）の相対的な回転の間に、分配ダクト（３１，３２）に接続されるように、ディストリビュータ（１６）の分配面（２８）と協調することを特徴とする、請求項１から１８のいずれか１つの記載のモータ。
【請求項２０】
シリンダの第１グループのシリンダ（１２Ａ）が、その軸（１３Ａ）を第１放射平面（ＰＡ）の中に含ませるが、シリンダの第２グループのシリンダ（１２Ｂ）が、前記第１面とは別個の第２放射平面（ＰＢ）にその軸（１３Ｂ）を含ませることを特徴とする、請求項１９に記載のモータ。
【請求項２１】
それが、さらに分配ダクト（３１，３２）および流体入口ダクトと出口ダクト（２４，２６）の間での接続を選択するための選択装置（８８，９４）を具備し、その装置がディストリビュータ（１６）と協調し、シリンダダクト（１５Ａ、１５Ｂ）が分配ダクトの１つと連通するときに、前記シリンダダクトに接続されているシリンダの入口方向および／または出口方向での流体の圧力が、サイクル中のシリンダのピストンによって達成される仕事がゼロとなるほどであるように、分配ダクトのすべてが活動的である第１形状構成、および一定の分配ダクトが非活動状態である第２形状構成を有することを特徴とする、請求項１から２０のいずれか１つに記載のモータ。
【発明の詳細な説明】
【０００１】
本発明は、回転軸を基準にして半径方向に置かれている少なくともシリンダの第１グループを備え、各シリンダがシリンダダクトに接続されており、前記シリンダ内での滑動に適したピストンと協調しているシリンダブロックと、
回転軸の回りでシリンダブロックを基準にして回転するために取り付けられている反応部材と、
回転軸の回りで反応部材とともに回転するのを抑制され、前記ダクトを、モータの流体入口ダクトと流体出口ダクトに連通させるためにシリンダダクトに接続されるのに適した分配ダクトが具備されている内部流体ディストリビュータと、第１グループのシリンダのシリンダダクトを分配ダクトに接続することを可能にするための第１形状構成において、および前記シリンダダクトを流体放出エンクロージャと連通させるための「ピストン−クラッチ切断（ｄｅｃｌｕｔｃｈｉｎｇ）」第２形状構成において適した選択手段であって、ピストンが、前記クラッチ切断形状構成で、回転軸に向かって前記シリンダの中に引っ込められるのに適している第１グループのシリンダと協調する選択手段と、
を備える、油圧モータに関する。
【０００２】
その種のモータは、特許ＦＲ第２,７１０,１１１号から既知である。モータが最大立方容量で動作するとき、シリンダのすべてが、加圧されている流体とともに定期的に送られる。既知であるように、モータがトルクを送達しないように、定期的にシリンダのすべてに流体を供給するのを中断することが可能である。さらに既知であるように、シリンダのいくつかに流体を供給するのを中断し、他のシリンダは、流体を定期的に供給され続けることが可能で、その結果モータが部分的な立方容量で動作する。
【０００３】
このようにして、本発明は、シリンダのすべてが第１グループに属し、したがってすべてが非活動状態にされることに適しているモータと、さらに第２グループのシリンダを備え、第１グループのシリンダが非活動状態にされると、それらのシリンダが活動し続けるモータの両方に適用可能である。
【０００４】
ＦＲ第２,７１０，１１１号に示されているように、第１グループのシリンダ内で滑動するために取り付けられているピストンが、「クラッチ切断」することができ、その動作は、前記ピストンに、反応部材または「カム」に持たれかかるのをやめさせ、それにより摩擦および時期尚早の磨耗を排除することにあることが知られている。その目的のため、「クラッチ切断」装置は、問題のピストンを、それぞれのシリンダの内側に引っ込められている引っ込められた形状構成で維持することを可能にする。
【０００５】
さらにＦＲ第２,７１０,１１１号に示されているように、クラッチ切断動作、およびピストンをカムに接する受け面に戻すことにある「再クラッチ結合」動作は困難であり、一定の予防措置が講じられない限り、それらはピストンをカムに激しく衝突させるようになる。
【０００６】
このような激しい衝撃を回避するために、ＦＲ第２,７１０,１１１号は、第１グループのシリンダのそれぞれに個別のセレクタを備え、個々のセレクタが、関連しているシリンダ内に滑動自在に取り付けられているピストンのクラッチを切断したり、結合したりするためには、それが、シリンダブロックの、およびカムだけの相対回転中に起動することができるが、シリンダの軸は、それがカム上の波状起伏の頂きに隣接している位置を通り抜けるように制御されている選択手段を使用することを推奨する。
【０００７】
そのシステムはきわめて満足できるが、それは第１グループ内にあるシリンダと同じくらい多くの個別セレクタの存在を必要とするため、相対的に高価である。また、それは正確な時間で個別セレクタのそれぞれを起動するための適切な制御手段も必要とする。
【０００８】
特許ＦＲ第２,６７７,４０９号では、油圧モータのピストンをクラッチ切断することを可能にする油圧回路を開示している。この回路は、ポンプのオリフィスを、モータの入口と出口のメインオリフィスに接続するダクト上で挟まれているシャトル弁を含む。そのシステムは外付けであり、それはモータの上に取り付けられ、これがモータの全体的なサイズを拡大する。加えて、クラッチ切断は、モータのピストンのすべてに例外なく適用される。最終的に、クラッチ切断時、およびクラッチ再結合時の衝撃の問題は、回避されていない。
【０００９】
本発明の目的は、簡略であり、モータの内側に置かれ、問題のピストンのクラッチ切断と再クラッチ結合の間に、例えば毎分約１００回転（ｒ．ｐ．ｍ）以上の相対的に高い回転速度でさえ、ピストンとカムの間の衝撃の現象を大幅に回避しながら、第１グループのシリンダ内に滑動自在に取り付けられているピストンをクラッチ切断することができるようにするシステムを提供することである。
【００１０】
この目的は、選択手段が回転軸の回りでシリンダブロックとともに回転するために制約され、シリンダの第１グループのシリンダごとの連通ダクトが具備されている単一クラッチ切断セレクタを備え、該セレクタが、前記第１形状構成に一致する、その中で連通ダクトが第１グループのシリンダのシリンダダクトを分配ダクトに接続することを可能にする第１位置、前記クラッチ切断形状構成に一致する第２位置、および第１グループのシリンダのシリンダダクトが分離されたエンクロージャを介してともに接続される中間遷移位置を占めるのに適しているという事実により達成される。
【００１１】
セレクタが第１位置にあるとき、第１グループのシリンダのシリンダダクトは、通常分配ダクトに接続されており、このようにして流体入口に、および流体出口に交互に接続され、その結果前記シリンダ内に滑動自在に取り付けられているピストンが活動する。クラッチ切断セレクタが第２位置にあるとき、第１グループのシリンダのシリンダダクトは、前記シリンダに滑動自在に取り付けられているピストンが非活動状態であり、前記シリンダの中に引っ込めることができる、つまりそれらがクラッチ切断されるように、流体放出エンクロージャにすべて接続されている。好ましくは、流体放出エンクロージャは、モータの内側空間の一部にすぎず、その一部が漏れ戻りダクトに接続されている。
【００１２】
セレクタが遷移位置にあるとき、第１グループのシリンダのシリンダダクトは、すべて分離されたエンクロージャを介してともに接続されている。「分離されたエンクロージャ」という用語は、モータのケーシングの内側空間の一部を指定するために使用され、その一部はモータの多様な「機能」ダクト、つまり入口ダクトまたは出口ダクトなどのモータの外部にあるダクトに接続されているダクト、あるいはさもないと、モータの補助的な機能（制動制御等）を実行するためにモータのブースタ回路に接続されている補助ダクトから分離されている。言い替えると、分離されたエンクロージャは、入口にも、出口にも、モータの外部のどのような補助圧力にも接続されていない。
【００１３】
この遷移位置においては、第１グループのシリンダのピストンは、カム上のそれらの位置の関数としてそれぞれのシリンダ内で変位することができる。言い替えると、それらは、シリンダの内側の指定された位置にロックされていないが、むしろそれらはカムの波状起伏に従うことができ、流体の量は、収縮または他のピストンの外向きの運動により変位される流体の量を補う一定のピストンの「内向き」運動により変位され、モータは一定速度である。
【００１４】
第１グループのシリンダが流体放出エンクロージャに接続されるのは、セレクタがその遷移位置を通過した後だけである。したがって、本発明は、前記モータが適切に運転するのを妨げるだろう、流体放出エンクロージャをモータの入口または出口と直接接触させることを回避することを可能にする。しかしながら、セレクタの変位中、第１グループのシリンダのシリンダダクトは互いに分離されておらず、これでシリンダ内に滑動自在に取り付けられているピストンはロックを回避される。
【００１５】
有利なことに、クラッチ切断セレクタは、シリンダブロック内の穴の中で滑動するように取り付けられているスライドにより形成され、連通ダクトは、スライドの表面に具備されている連通チャネルを備える。第１グループのシリンダのシリンダダクトは、シリンダブロック内の前記穴の中で開いているオリフィスを有し、オリフィスは、それぞれの連通チャネルに連続して接続されている。そして、シリンダブロック内の穴には、クラッチ切断セレクタが遷移位置にあるときに、連通路が接続される相互連通溝が備えられている。
【００１６】
連通チャネルは、スライドの表面で軸に沿って、または実質的には軸に沿って置かれる。それらはこのようにして機械加工するのがきわめて容易である。セレクタが第１位置にあるとき、連通チャネルが、第１グループのシリンダのシリンダダクトを分配ダクトに接続することを可能にし、その結果第１グループのシリンダのピストンは活動する。セレクタをその第２位置に向かって変位することによって、第１グループのシリンダの分配ダクトとシリンダダクトは停止させられ、連通チャネルはすべてシリンダブロック内の相互連通溝に接続される。
【００１７】
第１グループのシリンダのシリンダダクト、連通チャネルおよび相互連通溝を備えるセットが、それを介して第１グループのシリンダのシリンダダクトが、セレクタが遷移位置にあるときに互いに連通する分離されたエンクロージャを構成する。
【００１８】
どちらのケースでも、有利なことに、第１グループのシリンダのシリンダダクトごとに、モータはシリンダブロックの、およびディストリビュータの相対的な回転の間に、分配ダクトに接続されるように、シリンダブロックの穴の中で開いている第１オリフィスと、シリンダブロックの連通面で開いている第２オリフィスを有するダクトにより形成されている分配通路を有し、第１グループのシリンダの第１オリフィスごとに、分配通路を形成しているダクトの第１オリフィス、シリンダダクトのオリフィス、および相互連通溝が、セレクタのスライドがその第１位置からその第２位置へ変位される方向でシリンダブロックの穴の中に連続して置かれる。
【００１９】
第１グループのシリンダごとに、連通通路は、シリンダブロックの連通面に連続して接続され、それは、このようにして分配ダクトのそれぞれに交互に接続できる。第１グループのシリンダのシリンダダクトごとに、連通チャネルが、セレクタが第１位置にあるときに、シリンダダクトと分配通路の間の連通を確立する。セレクタがその第２位置に変位されると、前記シリンダダクトはまた連通チャネルを介して相互連通溝に接続されている一方で、分配通路とシリンダダクトの間の連通が終わる。
【００２０】
有利なことに、クラッチ切断セレクタをその第１位置と第２位置の間で変位させるためには、モータは、さらに、その第１位置と第２位置の１つの向かって前記セレクタを連続して促すために適している弾力のある戻り手段を備える制御手段、およびセレクタをその第１位置と第２位置のその他に向かって促すために制御されるのに適した反対力手段を備える。
【００２１】
変形では、弾力のある戻り手段が、セレクタをその第１位置に向かって促し、反対力手段がモータのステータ部分に固定されている制御シリンダと強調している制御ピストンを備え、前記制御ピストンは、セレクタをその第２位置に向かって促すために前記戻り手段の戻り力に逆らって変位されるのに適している。
【００２２】
それから、第１グループのシリンダのピストンのクラッチ切断は、弾力のある戻り手段に逆らって、制御ピストンの正のコマンドにより得られ、このコマンドは特に油圧である。
【００２３】
制御ピストンが、球形の当接手段を介して、あるいはボールまたはローラ軸受け手段を介して、あるいは拘束流体を使用する静水当接手段を介してセレクタと協調するために準備をすることが可能である。
【００２４】
制御シリンダは、モータのステータ部分に固定されているが、セレクタはシリンダブロックとともに回転するように抑制されている。したがって、制御ピストンが協調するセレクタのその部分は、制御シリンダを基準にして回転する。ボール手段またはローラ手段の、あるいは静水当接手段の球形当接手段を選択すると、互いにを基準にして回転するパーツの時期尚早の磨耗を避けることを可能にする。特に、球形当接手段を選ぶと、制御ピストンとセレクタの間の摩擦を狭い面積のゾーンに制限することが可能になる。このゾーンは、好ましくはモータの回転軸と一直線になり、クラッチ切断セレクタがその中に置かれているシリンダブロック穴と、制御シリンダの両方とも、好ましくはモータの軸上に中心が合わされている。したがって、据置きパーツと回転パーツの間の相対速度は低く、その結果、せいぜい非常に低いトルクがこのゾーンで生じる。その結果、摩擦、したがって接触するパーツの加熱が制限される。
【００２５】
ボール当接手段を選択すると、それを転動接点で置換し、それによりまた摩擦、したがって時期尚早の磨耗のリスクを回避することにより摩擦を排除することが実質的に可能になる。
【００２６】
静水当接手段が選ばれると、接点摩擦も排除され、流体摩擦により置換され、それにより実質的に同じ優位点が提供される。
【００２７】
別の変形においては、反対力手段が、セレクタと、シリンダブロックを基準にして固定されている基準パーツの間に設けられている制御チャンバ、および前記制御チャンバを流体ソースに接続するために適切な制御ダクトを備える。
【００２８】
弾力のある戻り手段が、その第２位置に向かってセレクタを促し、反対力手段が、その第１位置に向かってセレクタを促すために制御されるのに適しているために準備をすることが可能である。
【００２９】
どちらのケースでも、クラッチ切断形状構成が、弾力戻り手段によって休止で得られる。これは、例えば、モータが車両を駆動するのに役立つときに有利である。反対力手段を制御する上での障害が、車両が、ピストンがクラッチ結合された位置にある状態で（したがって、低速で、高いモータトルクで）駆動される間に発生すると、この障害により、セレクタはクラッチが切断された形状構成に入り、それにより立方容量、したがってモータのトルクを削減する。そのとき、運転者は、ポンプの流量を制御することにより速度を制御するのは困難ではない。
【００３０】
この変形は、駐車ブレーキと安全ブレーキを備えた油圧モータでも有利である。どちらのケースでも、ユーザが、制動を解除せずに油圧モータを始動しようとすると、モータの、およびモータを備えた車両の時機を失した駆動を妨げるために必要な制動トルクは、単に、休止形状構成である、そのクラッチ切断された形状構成で（つまり、低い立方容量で）モータにより展開されるトルクを克服することができなければならない。この制動トルクは、セレクタの休止位置が（ピストンがクラッチ結合される）その第１位置であると必要となるだろうトルク未満であり、それがさらにコンパクトで、より廉価なブレーキの選択を可能にする。
【００３１】
有利なレイアウトにおいては、それがその第１位置から第２位置へ変位される方向でその下流側面上に位置しているクラッチ切断セレクタのその端部に減圧チャンバが具備され、前記セレクタがその第２位置にあるとき、シリンダダクトは前記チャンバに接続される。
【００３２】
セレクタがその第１位置から第２位置に移動すると、減圧チャンバには、第１グループのシリンダのシリンダダクト内に位置する流体が供給される。減圧チャンバは、このようにして「加圧され」、それによってセレクタのその第２位置への連続変位に対抗する力を適用する。言い替えると、その遷移位置とその第２位置の間のセレクタの変位は減速され、その結果、クラッチ切断は円滑に発生する。
【００３３】
この減圧チャンバは、圧力を受けないタンクに接続されている漏れ戻りダクトと有利に連通している。この連通は、有利に、断面が小さい少なくとも１つの通路を介して起こり、それにより減圧チャンバと漏れ戻りダクトの間で損失ヘッドを引き起こし、その損失ヘッドが、セレクタがその第１位置からその第２位置に変位されるのが迅速すぎないようにすることを可能にする。
【００３４】
断面が狭い通路（複数の場合がある）の貫通断面の面積が、減圧チャンバと漏れ戻りダクトの間の損失ヘッドを決定し、それによりその遷移位置とその第２位置の間のセレクタの変位の速度を調節する。
【００３５】
本発明は、ピストンのすべてがクラッチ切断可能であるモータに適用可能である。また、それぞれが少なくとも２つの明確な運転立方容量を有し、低立方容量（複数の場合がある）で非活動状態であるそれらのシリンダのピストンだけがクラッチ切断されなければならないモータにも適用できる。
【００３６】
どちらのケースでも、有利なことに、シリンダブロックは、回転軸を基準にして半径方向に置かれているシリンダの第２グループを有し、第２グループの各シリンダは、シリンダブロックの連通面に直接接続されているそれぞれのシリンダに接続しており、その面は、クラッチ切断セレクタの位置に関係なく、シリンダブロックの、およびディストリビュータの相対的な回転の間に分配ダクトに接続されるように、ディストリビュータの分配面と協調する。
【００３７】
このようにして、第１グループのシリンダ内に滑動自在に取り付けられているピストンがクラッチ切断されると、第２グループのシリンダ内に滑動自在に取り付けられているピストンは、前記シリンダが分配ダクトに接続され続けている限り、低モータトルクを送達するために活動的であり続ける。どちらのケースでも、モータは低立方容量で動作するが、セレクタがその第１位置にあるとき、シリンダダクトのすべては分配ダクトに接続され、それは高立方容量で動作する。
【００３８】
ピストンをクラッチ切断するためのセレクタに加えて、シリンダダクトと分配ダクトの間の接続に作用する追加立方容量セレクタを提供することが可能であることに注意する必要がある。この立方容量セレクタは、それぞれ高い方の立方容量と低い方の立方容量に一致する２つの位置の媒介をさせられるように、クラッチ切断セレクタとは無関係に制御されてよい。したがって、セレクタが同時に、その第１位置にあるのか、あるいはその第２位置にあるのか、または一方が、他方がその第２位置にある間に第２位置にあるのかに応じて、４つの明確な運転立方容量を得ることができる。
【００３９】
本発明はよく理解され、その優位点は、非制限例によって示される実施形態の以下の詳細な説明を読むことでさらに明らかになるだろう。
【００４０】
図１は、半径ピストンおよび据置きケーシングを有する油圧モータを示す。しかしながら、本発明は、回転ケーシングを有するモータにも適用可能である。ケーシングは複数の部分、つまり「分配カバー」と呼ばれている第１部分１Ａ、その内側周縁部が反応カムを形成するために波形になっている第２部分１Ｂ、および部分１Ｃから成り立っている。多様な部分が、ねじ２によって一つに組み立てられている。
【００４１】
示されている例では、波形になっているカムは、それ自体、軸に沿って並列されている２つの部分４Ａと４Ｂから成り立っている。モータは、回転軸１０の回りでカムを基準にして回転するように取り付けられ、その内側に半径ピストンが滑動自在に取り付けられている複数の半径シリンダを具備するシリンダブロック６を含む。
【００４２】
２つのグループのシリンダ、つまりシリンダ１２Ａの第１グループとシリンダ１２Ｂの第２グループがある。シリンダ１２Ａの軸１３Ａ（その軸が、回転軸１０を基準にして半径方向に置かれている）は第１放射平面ＰＡを画定するが、第２グループ１２Ｂのシリンダの軸１３Ｂは、平面ＰＡとは別個の第２放射平面ＰＢを画定する。第１グループのシリンダ１２Ａ内で滑動するピストン１４Ａは、カムの第１部分Ａと協調するが、第２グループのシリンダ１２Ｂ内で滑動するピストン１４Ｂは、カムの第２部分４Ｂと協調する。
【００４３】
シリンダブロック６は、溝削り７を介してそれと協調する軸５を回転させる。
ディストリビュータ１Ａのカバーの反対側にある軸５の端部は、出口フランジ９を担持する。軸５は、円錐ローラ軸受け８Ａと８Ｂなどの軸受け手段によりケーシングの部分１Ｃを基準にして支えられている。
【００４４】
モータは、さらに、植込みボルトと切欠き（ｓｔｕｄ−ａｎｄ−ｎｏｔｃｈ）システム１７によって分配カバー１Ａを基準にして回転するのを妨げられる内部流体ディストリビュータ１６を含む。
【００４５】
ディストリビュータ１６は、分配カバー１Ａの段付き内部軸流面１８と協調している段付き外部軸流面を有する。面１８と１９の間には、それぞれ基準２０，２１、および２２によって指定されている３つの溝が設けられている。
【００４６】
モータは、さらに、２つのメインダクト、つまり入口メインダクトと出口メインダクトを含む。これらのメインダクトは、図１の断面にはないが、理解を容易にするために、その位置は破線で示されている。このようにして、第１メインダクト２４は、第１溝２０に連続して接続されるが、第２メインダクト２６は第３溝２２に連続して接続されている。後述されるように、第２溝２１は、図１には図示されていない立方容量セレクタの位置に応じて、溝２０と２２の一方または他方に接続することができる。
【００４７】
しかしながら、本発明は、グループ１２Ａをシリンダの単一グループとして有するモータと、ディストリビュータと分配カバーの間に２つの分配溝だけが設けられ、その溝が連続してメインダクトのそれぞれのダクトに接続されているモータの両方にも適用することができる。
【００４８】
分配ダクトはディストリビュータ内に設けられ、それらはその放射分配面２８で開き、その面がシリンダブロックの放射連通面３０に当たっている。分配ダクトは、溝２０，２１、および２２を分配面に選択して接続する。示されている例においては、図示されているダクトだけが、溝２１を分配面２８に接続する分配ダクト３１と、溝２２を分配面に接続する分配ダクト３２である。各シリンダは、シリンダブロックがカムを基準にして回転している間に、それを分配ダクトのそれぞれと交互に連通させるように、シリンダブロックの連通面３０に接続できるようにするシリンダダクトに関連する。
【００４９】
このようにしてシリンダの第２グループのシリンダ１２Ｂごとに、シリンダダクト１５Ｂは、前記シリンダを連通面３０とじかに連通させる。それに対し、第１グループのシリンダ１２Ａの場合、シリンダダクト１５Ａが、クラッチ切断セレクタ３４を介して連通面３０と連通させられる。
【００５０】
セレクタ３４は、シリンダブロックの中心穴３６内で軸に沿って移動するために取り付けられているスライドにより形成される。セレクタは、軸１０の回りでシリンダブロックとともに回転するために制約されている。それは、ねじ３８の棒が通過する穴が具備されているフランジ部分３４’を有する。これらの棒のそれぞれは、シリンダブロック内でねじ穴の中にねじ込まれているねじ込み端部３９Ａ、およびフランジ３４’内の穴が協調し、それを通って問題の棒が係合する滑らかな中間部分３９Ｂを有する。したがって、セレクタ３４は、ねじ３８を基準にして滑動できる。
【００５１】
シリンダブロックの穴３６と協調しているセレクタ３４の外側円筒形面３４Ａは、シリンダの第１グループがシリンダを有するのと同じくらい多くの、チャネル４０の形をした連通ダクトを有し、各チャネル４０は、それぞれのシリンダダクト１５Ａと関連している。
【００５２】
各シリンダダクト１５Ａは、シリンダ１２Ａに接続されている１つの端部、およびシリンダブロックの穴３６の中で開いているオリフィス１５’Ａを形成している別の端部を有する。このオリフィス１５Ａは、問題のシリンダダクト１５Ａと関連する連通チャネル４０と連続して連通している。
【００５３】
各シリンダダクト１５Ａは、シリンダブロックの穴３６の中で開いている第１オリフィス４２Ａ、およびシリンダブロックの連通面３０で開いている第２オリフィス４２Ｂを有するダクトにより形成されている分配通路と関連する。図１で分かるように、これが、分配通路４２をダクト３２などの分配ダクトに接続できるようにする。
【００５４】
シリンダダクト１５Ａと分配通路４２の両方とも、このようにして穴３６の中で開き、図１で分かるように、これにより、シリンダダクト１５Ａは、セレクタ３４がその第１位置を占めるときに分配ダクトと連通できるようになる。軸流セクションにおいては、ダクト１５Ａ、連通チャネル４０、および分配通路４２を備えるセットが、シリンダブロックの連通面３０に接続されている実質的にＵ字形をしたダクトを形成する。連通チャネル４０は、実質的に軸に沿って伸張し、その長さは、セレクタが第１位置にあるときにオリフィス１５’Ａと４２Ａを相互接続するのに十分である。シリンダ１２Ａにさらに近い分配通路４２の端部は、栓４２Ｃで閉じられている。
【００５５】
相互接続環状溝４４は、シリンダブロック６の穴３６の中に設けられている。
セレクタの変位の関数として、この溝４４は、連通チャネル４０と連通させることができる。その第１位置から第２位置へセレクタが変位される方向で考慮されるように、オリフィス４２Ａ、オリフィス１５’Ａおよび溝４４は次々と置かれる。
【００５６】
オリフィス４２Ａと連通面３０の間に位置している前記穴のその部分の中で、密封ガスケット３５を前記円筒形面３４Ａと穴３６の間に置くことが可能である。例えば、このガスケットは、穴３６の中に設けられている溝の中に置かれる。その目的とは、後述されるように、連通チャネル４０と、漏れ戻りダクト４８に接続されているモータの空間８０の間で発生するだろう漏れを防止することである。
【００５７】
図１のモータは、さらに、それぞれロータとステータとともに回転するために制約されている２列のブレーキディスク、およびそれがディスクを互いに押しつける制動形状構成とブレーキ解放形状構成の間で移動するように制御されるブレーキピストン１０２を含む。
【００５８】
図２Ａから図２Ｄ、および図３Ａから図３Ｄを参照すると、セレクタ３４の変位は後述される。図２Ａは、その第１位置にあるセレクタ３４のスライド、シリンダダクト１５Ａおよび連通チャネル４０を介して相互接続されている問題の分配通路４２のオリフィス１５’Ａと４２Ａを示す断片的な軸流断面図である。
【００５９】
図３Ａは、太線で穴３６の展開の部分を、細線でスライド３４の外側円筒形面３４Ａの展開の対応する部分を示す。したがって、複数の並置されているシリンダが、シリンダダクト１５Ａのオリフィス１５’Ａと分配通路４２の第１オリフィス４２Ａを見ることが可能である。総合接続溝４４の位置を見ることも可能である。図３Ａで考慮に入れられているシリンダダクトのそれぞれのチャネルに関連している連通チャネル４０は、細線で図示されている。
【００６０】
溝４４に隣接しているスライド３４の端面３４Ｂに軸方向切欠き３４Ｃが具備されていることを見ることも可能である。図３Ａで分かるように、これらの切欠きにより、たとえセレクタ３４がその第１位置にあっても、相互接続溝４４を後述される減圧チャンバ４６と連通させることが可能になる。
【００６１】
図２Ａと図３Ａにおいては、オリフィス１５’Ａと４２Ａは、このようにして連通チャネル４０と連通するが、それらは溝４４から分離されている。分配通路４２と連通チャネル４０の間の連通は、その場合、最大断面Ｓ１を介して提供される。
【００６２】
図２Ｂと図３Ｂにおいては、スライド３４はその変位をその第２位置に向かって開始した。この状況では、分配通路４２のオリフィス４２Ａは、類似している断面Ｓ１を介してのみ連通流露４０と連通するが、連通チャネル４０は断面Ｓ２を介して溝と連通を開始する。この時点で、第１グループのシリンダは、断面Ｓ１だけを介してであるが、ディストリビュータの分配ダクトに接続され続ける。その結果、これらのシリンダのピストンは、モータトルクへの狭い範囲だけに貢献する。
【００６３】
図２Ｃと図３Ｃは、その遷移位置にあるスライド３４を示し、オリフィス４２Ａと連通チャネル４０の間の連通が完全に終わる（Ｓ１＝０）が、前記チャネル４０と溝４４の間の連通はそのほぼ最大である断面Ｓ２を介して提供されることを認めることができる。ただし、この状況においては、連通チャネル４０は、シリンダブロックの面６Ｂをまだ越えておらず、その結果それはまだ減圧チャンバ４６と連通していない。このようにして、この遷移状況においては、連通チャネル４０と溝を備えるセットとともに、４４第１グループ１２Ａのシリンダのシリンダダクト１５Ａを備えるセットが、特に入口ダクトと出口ダクトから、あるいは補助制御圧力を伝えるあらゆるダクトから分離されている閉じられたエンクロージャを構成する。ただし、第１グループのシリンダの位置は、第１グループのシリンダダクトは閉じられていないが、むしろそれらはすべて前述されたエンクロージャと連通されているため、ロックされずにカムを基準にしたその位置の関数として変位することができる。
【００６４】
図２Ｄと図３Ｄにおいては、スライド３４はその第２位置に達し、第１グループのシリンダのシリンダダクトのオリフィス１５’Ａが、それ自体、溝４４と連通し続け、とりわけ、断面Ｓ３を介して、本質的に既知の方法で圧力タンクに接続されている漏れ戻りダクト４８に、それ自体接続されている減圧チャンバ４６と断面Ｓ３を介して連通するように、シリンダブロックの面６Ｂを越えて突き出す連通チャネル４０と連通し続けることが分かる。
【００６５】
この減圧チャンバは有利な変形を構成するが、セレクタが第２位置にいるときに、連通チャネル４０に漏れ戻りダクトと、あるいはさらに一般的には流体排出エンクロージャと直接的に連通させるために、準備がなされなければならないことに注意する必要がある。
【００６６】
図４のグラフは、断面Ｓ１、Ｓ２、およびＳ３がスライド３４のその第１位置から（変位０）第２位置（変位Ｘ）への変位の間にどのように変わるのかを示す。断面Ｓ１は、変位Ｘ２の場合にゼロになるために均一に減少することが分かる。断面Ｓ２は、変位Ｘ２未満である変位Ｘ１からとして非ゼロ値を取り始める。図２Ｂと図３Ｂは、値Ｘ１とＸ２の間の中間の変位値に一致する。その場合、変位が続行すると、断面Ｓ２が拡大し続け、断面Ｓ３が、変位Ｘ２より大きい変位Ｘ３からとして非ゼロ値を取り始める。
【００６７】
セレクタ３４が変位される方向で測定されるように、指定されているシリンダダクト１５Ａと関連する分配通路４２を形成しているダクトの第１オリフィス４２Ａと、相互連通溝４４の間の最小距離ｄ（図３Ａを参照すること）は、前記シリンダダクトと関連する連通チャネル４０の長さＬ未満である。これにより、図２Ｂと図３Ｂに示されている状況を得ることが可能になる。
【００６８】
セレクタ３４がその第２位置を占めると、シリンダダクト１５Ａは、このようにして流体放出エンクロージャに、要すれば減圧チャンバ４６を介して接続される。その結果、第１グループのシリンダのピストンは、それらをモータの回転軸１０からあ話す傾向のある方向で促されるのをやめる。モータは、この状況で、ピストンをそのそれぞれのシリンダの中に引っ込めさせる、つまりそれらを回転軸１０に向かって戻す手段を含む。その結果、ピストンはクラッチ切断され、それらはカムと強調するのをやめる。
【００６９】
ピスオンをクラッチ切断するためには、ピストンをそのシリンダの中に戻す傾向のあるばねなどの特種手段を提供することができる。ただし、ピストンに作用するカムのローブの頂きは、前記ピストンをそのシリンダの中に戻すのに十分である。
【００７０】
シリンダブロックが回転している間、クラッチ切断されたピストンは、そのシリンダから戻り、カムのトラフと接触し直す傾向にないことを保証するために、有利なことに、カム４Ａが位置しているモータの回りの空間のその領域５０内で一定の圧力を優勢にするために準備がなされる。この内側空間が、ダクト４８などの漏れ戻りダクトに接続することができることが知られている。有利なことに、前述された圧力を得るために、本発明は、このような接続を、空間５０と漏れ戻りダクト４８の間のリンクダクト内に位置している校正された弁５２を介してのみ得ることができるようにするために準備を行う。例えば、１００ｒ．ｐ．ｍから４００ｒ．ｐ．ｍの範囲内にある回転速度の場合、弁５２を約１バールから２バールへの圧力に校正することで、空間５０内で優勢である圧力が、前記シリンダブロックが第２グループの活動するピストンにより回転され続けるときに、ピストンのそのそれぞれの、シリンダブロックの回転により生じる遠心力の影響を受けているシリンダの外部に向かう変位を妨げることを保証するのに十分である。
【００７１】
図１および図５Ａから図５Ｃを参照すると、セレクタ３４をその第１位置と第２位置の間で変位させるための制御手段の第１変形が説明されている。セレクタ３４は、シリンダブロック内の穴３６の中に置かれ、それは、好ましくは回転軸１０と同軸である。その変位を制御するための制御手段は、セレクタ３４を連続してその第１位置に向かって促すために適したばね５４などの弾力のある戻り手段を備える。図示されている例においては、このばね５４は、最初に、ディストリビュータ１６のさらに近くに位置している軸５の放射平面５Ａに当たり、第２に前記面５Ａから反対側にあるスライドの放射平面３４Ｃに当たる。ばね５４は、スライド３４内の中心凹部５６の中に部分的に受け入れられ、前記凹部の端部は前記表面３４Ｃを形成する。
【００７２】
セレクタ３４の変位を制御するための制御手段は、さらに、モータのステータ部分、つまりこの例では分配カバー１Ａに固定されている制御シリンダ６０と協調する制御ピストン５８を備える。オリフィス６４を介して油圧制御ダクトに接続されるのに適した制御チャンバ６２は、セレクタ３４から反対側にあるピストン５８のその端部に設けられる。前記チャンバ６２に送られている流体の影響を受けて、ピストンは、このようにして、セレクタ３４をその第２位置に促すためにばね５４の戻り力に逆らって変位されるのに適している。
【００７３】
シリンダ６０は、モータのステータ内に設けられ、ピストン５８も、軸１０の回りで回転することを妨げられている。セレクタ３４は、シリンダブックとともに回転するために制約されている。その結果、モータが据置きケーシングを有するとき、ピストン５８とセレクタ３４の間の接触は、互いを基準にして回転する面を介して発生する。これらの表面が、セレクタがピストン５８の作用を受けてその第２位置に向かって変位されるときだけ高い応力にさらされることに注意する必要がある。
【００７４】
図５Ａと図５Ｂは、それにも関わらず、相対的な回転から生じる可能性のある時期尚早な磨耗を制限するように編成されているセレクタピストンの接触ゾーンの多様な変形実施形態を示す。
【００７５】
このようにして、図５Ａにおいては、ピストン５８の活動的なヘッド５８Ａ、つまり、セレクタ３４と協調するピストンのその部分に、球形の当接手段が備えられている。図示されている例においては、それらは、ピストンの端部の中に設けられている凹部５９Ａの中でクリンプされるボール５９によって構成される。例えば、ボールはセレクタの面する放射平面３４’Ａと直接協調する。ボール５９は、ねじまたはその頭が球形部分を構成している面を有する類似物により置換されてよい。また、球形表面が、セレクタの面３４’Ａの上に形成されるために準備をすることも可能である。
【００７６】
図５Ｂにおいては、制御ピストン５８’には、軸受け手段７０によってピストンの本体に接続される活動的なヘッド５８’Ａが具備される。例えば、図示されているように、ヘッド５８’Ａは、セレクタ３４の中にねじ込まれているねじのヘッドによって形成されている接触パーツ７２を介してセレクタ３４と協調する。ヘッド５８’Ａおよびパーツ７２は、それ以外のパーツの硬度より大きい硬度、および／または摩擦を制限するのに適したコーティングを有することがある。
【００７７】
図５Ｃにおいては、制御ピストン５８”は、拘束流体を使用する静水当接を介してセレクタ３４と協調する。したがって、埋込み型ピストン５８”の活動的なヘッド５８”Ａは、静水当接エンクロージャ７４内で優勢である流体圧力によりピストンを基準にした位置に保持されている追加パーツによって形成される。このエンクロージャは、ヘッド５８”と反対側にある埋込み型ピストン５８”のその端部で形成されている制限（ａ  ｒｅｓｔｒｉｃｔｉｏｎ）７６を有する通路を介して、およびヘッド５８”Ａを通して設けられ、エンクロージャ７４をピストン５８”内の凹部に接続する穴７９を介して前述された制御チャンバ６２に接続される。図５Ｂでのように、ヘッド５８”Ｂは、前記セレクタに固定されている追加接触パーツ７２’を介してセレクタ３４に協調する。
【００７８】
減圧チャンバ４６は、おれがその第１位置からその第２位置へ変位される方向でその下流短部にあるセレクタのその端部３４Ｂで設けられている。このようにして、このチャンバは、セレクタ３４、シリンダブロック６、および軸５Ａの間で設けられ、パーツ間のリンクは、実質的には流体の漏れがないようにされている（ｆｌｕｉｄ−ｔｉｇｈｔ）。セレクタ３４が第２位置にあるとき、第１グループのシリンダのシリンダダクト１５’Ａは、この減圧チャンバに接続されている。
【００７９】
さらに正確には、前記に示されたように、連通チャネル４０は、セレクタがその第２位置にあるときにチャンバ４６と連通している。したがって、その第１位置からその第２位置へのセレクタの変位中、シリンダダクト１５’Ａがチャンバ４６と連通され始めると、前記チャンバはそれ自体がダクト内に含まれている流体を供給されるのに気付く。その結果、チャンバ４６内の流体圧力は上昇し、前記圧力はピストン５８により変位に対抗する対抗油圧力を適用する。このようにしてダクト１５’Ａとチャンバ４６の間でのこの連通の確立からのように、セレクタ３４のその第２位置に向かう変位が減速され、その結果断面Ｓ３は非常に徐々に拡大し、第１グループのシリンダのピストンは「緩やかに」クラッチ切断される。
【００８０】
減圧チャンバ４６は、前述された漏れ戻りダクト４８と連通している。有利なことに、この連通は、狭い断面の少なくとも１つの通路を介して確立される。「狭い断面の通路」という言い回しは、それを通る流量が、チャンバ４６と漏れ戻りダクト４８の間で圧力差（損失ヘッド）を引き起こすように相対的に低い通路を示すために使用される。
【００８１】
これらの準備が、断面Ｓ３が非ゼロになった瞬間からセレクタの変位を減速しつつ、セレクタが第２位置にあるときに、シリンダダクト１５’Ａを漏れ戻りダクト４８に接続することを可能にする。有利なことに、狭い断面の通路は、セレクタ３４を軸に沿って通る穴７８によって形成される。
【００８２】
実施例で示されているように、穴の端部が、その中でばね５４が凹部５６の端部壁に接する当接ゾーンに位置するとき、それらはその断面に関して特定の予防措置を講じなくても機械加工することができ、その貫通断面を削減するのはばねの存在である。ばね５４の反対側のその端部において、通路７８はモータの空間８０の中に広がり、その空間は、ピストン５８とディストリビュータの内部穴１６Ａの間に設けられ、漏れ戻りダクト４８に接続される。
【００８３】
減圧チャンバ４６は、チャンバが空にされる方向だけで流体が流れることができるようにする非戻り弁８２を介して、反応部材４Ａの下に位置するモータの内側空間５０と連通している。したがって、クラッチ切断段階の間にシリンダダクト１５’Ａから排出さｒれる量の一部を、引っ込むクラッチ切断されたピストンのための量の変動を補償するために、ケーシングの空間５０の中に注入することができる。さらに、前述された校正済みばね５２が存在するため、空間５０内では十分な圧力が優勢である。
【００８４】
さらに正確には、漏れ戻りダクト４８は、空間８０に、したがって通路７８を介して減圧チャンバ４６、非戻り弁８２が位置している第２セグメント４８Ｂ、および校正済み弁５２が位置している第３セグメント４８Ｃに接続されている第１セグメント４８Ａを備える。空間５０内の圧力が前記校正済み弁の校正圧力を上回る場合、前記弁は、流体が空間５０からダクト４８に向かって進む方向だけで流れることができるようにする。
【００８５】
第１グループのシリンダ１２Ａに加えて、モータは、第２グループに属し、ピストン１４Ｂがその中で滑動自在に取り付けられているシリンダ１２Ｂを含む。シリンダ１４Ｂのシリンダダクト１５Ｂは、シリンダブロックおよびディストリビュータが互いを基準にして回転している間に、ダクト３１と３２などの分配ダクトと交互に連通させられるように、シリンダブロックの連通面３０内で開く。
【００８６】
有利なことに、図６に図示されているように、モータは、セレクタ３４とは別個の立方容量選択装置を含む。この装置は、図１に示されているゾーンＺ内の分配カバー１Ａの中に位置しているが、それは、それが図１の断面平面にない限り図１には図示されない。
【００８７】
セレクタ３４とは異なり、立方容量選択装置はシリンダダクトと協調しないが、むしろそれは分配溝２０，２１、および２２と協調する。それは、３つの分配溝２０、２１および２２のそれぞれ１つと連続して連通している３つの溝９０，９１、および９２がその中に設けられている軸に沿った穴８８を有する。スライド９４は、穴８８の内側で移動するために取り付けられ、それには類似する溝９６が具備される。スライドが第１位置にあるとき、溝９６は、溝９０と９１を連通させる（したがって、それは、溝２０と２１も連通指せる）が、スライドが第２位置にあるときは、その溝９６が、溝９１と９２を連通させる（したがって、溝２１と２２も連通させる）。
【００８８】
分配ダクトは、３つの溝２０，２１、および２２のそれぞれの溝に接続されている３つのグループで編成される。例えば、そのダクトが溝２２に接続されている第３グループのダクトの数は、第１グループ内のダクトの数と第２グループのダクトの数の総計に等しい。
【００８９】
例えば、図６に示されているスライド９４の第１位置は、高い立方容量位置であり、そこでは第１グループと第２グループの溝がメインダクト２４に接続され、第３グループのダクトから分離されるが、第３グループのダクトはメインダクト２６に接続され、その他の２つのグループのダクトから分離される。シリンダブロックが回転している間に、シリンダダクト１５Ｂおよび文パン通路４２の端部４２Ｂが、交互に第３グループに属している分配ダクトに、それから第１グループと第２グループの１つに属している分配ダクトに面する。このようにして、セレクタ３４がその第１位置にあるときには、シリンダブロックの回転中、シリンダのすべてはダクト２４または２６を介して流体入口に、それからこれらのダクトのそれ以外を介して流体出口に接続される。モータのシリンダのすべてはこのようにして活動的であり、モータは高立方容量で動作する。
【００９０】
スライド９４がその第１位置にある間に、セレクタ３４がその第２位置にあるとき、第１グループのシリンダのピストンはクラッチ切断される。しかしながら、シリンダブロックの回転中、第２グループのシリンダのシリンダダクト１５Ｂのオリフィスは、流体入口に接続されている分配ダクトに、それから流体出口に接続されている分配ダクトに交互に連通され続け、その結果、第２グループのシリンダのピストンは活動的である。それから、モータは、第２グループのすべてのシリンダの総立方容量に等しい、部分的な立方容量で動作する。
【００９１】
スライド９４が第２位置にあるとき、溝９０は分離されるが、溝９１と９２は互いと連通する。このようにして、分配ダクトの内、溝２０に接続されている第１グループのダクトだけが、メインダクト２４に接続され続ける。対照的に、第２グループおよび第３グループの分配ダクトのすべては、溝９１と９２の間で確立されている連通によってメインダクトに接続されている。したがって、第１グループの分配ダクト２０に一致するそれらのカムローブは、任意の指定されたときにこれらのカムローブと協調するピストンが、溝２０に接続されている第１グループの分配ダクトに、それからそのダクトがメインダクト２６に接続されている第２グループまたは第３グループの分配ダクトに交互に接続されるため、活動的である。
【００９２】
したがって、スライド９４がその第２位置にある間に、セレクタ３４がその第１位置にあるとき、分配ダクトを基準にしてそのピストンの関数として活動的であるカム４Ａと４Ｂのそれらのローブを通り過ぎ、それらのローブと面するモータのピストンのすべてがモータトルクに貢献する。そのとき、モータはこれらの活動的なシリンダの立方容量に一致する別の部分的な立方容量で動作している。
【００９３】
対照的に、セレクタ３４がその第２位置にあるとき、およびスライド９４もその第２位置にあるとき、第２グループのシリンダのピストンはクラッチ切断される。したがって、ピストンが活動的なカムローブの領域を通り過ぎるとき、それらは、当然モータトルクに貢献しない。どちらのケースでも、モータは低い立方容量で動作され、その立方容量は、そのピストンが、分配ダクトを基準にしてその位置の関数として活動的であるそれらのカムローブと協調する第２グループのシリンダによって与えられている。
【００９４】
したがって、セレクタ９４の存在によって、モータは４つの別個の運転立方容量を有する。
【００９５】
スライド９４は、オリフィス１００を介して制御ダクトに接続されるのに適した制御チャンバ９８、およびチャンバの体積の増加に対抗するねじ１０２を備える制御手段によってその２つの位置の間で変位させられる。シリンダブロック６から反対の側で、チャンバ９８は穴８８に取り付けられているクロージャ座金１０４により区切られている。
【００９６】
図５では、本発明のモータに、マーカ１１０がその端部を通り過ぎる回数を数える線さ１０８を備えるタコメータ１０６が具備され、そのマーカは、分配カバー１Ａのさらに近くに位置しているシリンダブロックの放射平面上で定期的な間隔で設けられている。
【００９７】
図７は、ピストンクラッチ切断セレクタとは別個であり、穴１１８の内側で移動するために取り付けられているスライド１２４を備える立方容量選択装置も示す。スライドは、穴のそれぞれ軸Ａ１１８のどちらかの側の、その２つの位置のそれぞれで図示されている。
【００９８】
本質的に既知である方法で、分配ダクトは４つのグループに編成され、それぞれのグループがディストリビュータ１１６の４つの溝１２０から１２３のそれぞれ１つに接続されており、その溝が、穴１１８の４つの溝１２０から１３３のそれぞれ１つに連続して連通している。スライド１２４は、その位置に応じて、溝１３０から１３３、したがって分配ダクトを連通または分離する２つの溝１２５から１２６を有する。
【００９９】
例えば、高い立方容量では、溝１３０から１３１がいっしょに接続され、それら自体がいっしょに接続されている溝１３２から１３３に分離される。その結果、溝１２０から１２１に接続されている分配ダクトは同じメイン圧力（入口または出口メイン圧力）に接続されるが、溝１２２と１２３に接続されているその他のメイン圧力（出口または入口メイン圧力）である。
【０１００】
低い立方圧力では、溝１３０と１３３のそれぞれが穴１１８のその田の溝から分離されるが、溝１３１と１３２はいっしょに接続されている。溝１２０と１２３に接続されている分配ダクトは２つのメイン圧力のそれぞれの圧力にされ、それらは活動的な立方容量に一致する。対照的に、溝１２１と１２２に接続されている分配ダクトは、同じ圧力であり、それらは非活動状態の立方圧力に一致する。
【０１０１】
スライド１２４は、その中にシャトル１３５が置かれている内部穴１３４を有する。スライドを通る穴１３６から１３９は内部穴１３４と連通する。シャトル１３５は、穴１３６から１３９を、低い立方容量で、溝１３１と１３２（したがって、非活動状態の立方容量に一致する）ダクト１２１と１２２が、低い方の圧力の流体を入れる溝１３０または１３３の１つに自動的に接続されるように連通させることを可能にする。このシャトル装置の運転およびその優位点は、特許ＦＲ第２,４８１,７５５号に詳細に説明されている。
【０１０２】
シリンダブロック６の穴３６に位置するクラッチ切断セレクタ２３４の制御に関する説明が続く。このセレクタは、一定のピストンをクラッチ切断するために、したがって立方容量を選択するためにも独自に設けられてよいか、さもなければ図７でのようにそれは特定の立方容量セレクタと関連してよい。
【０１０３】
チャネル４０に類似したその連通チャネル２４０によって、セレクタ２３４は、それがその第１位置および第２位置のどちらにあるのかに応じて、シリンダダクト１５Ａを連通通路４２と連通させるか、あるいはそれらを前記通路から分離することができる。
【０１０４】
図７は、相互接続溝４４と減圧チャンバ４６も示す。
【０１０５】
セレクタ２３４は、棒２５０がその内側で伸張する中空スライドにより形成される。この例では、棒は、セレクタ２３４がそうであるように、モータの軸１０の中心に置かれている。棒２５０は、シリンダブロック６を基準にした並進で移動されるのを妨げられる「基準パーツ」を校正する。さらに正確には、保持フランジ２５２が、ねじ２４３によってシリンダブロック６に固定され、棒２５０はフランジを通過し、ショルダーおおび設定弾力リングによりそれを基準にして設定される。
【０１０６】
セレクタ２３４は、フランジ２５２に当たるばね２５４によって（軸１０の下に見ることができる）その第２位置に向かって連続的に押し戻される（ｕｒｇｅｄ  ｂａｃｋ）。それは、前記セレクタ２３４と棒２５０の間に設けられている制御チャンバ２６２を備える反対力手段によって（軸１０の上に見ることができる）その第１位置に向かって促される。さらに正確には、棒は、フランジ２５２の反対側のその端部でクロージャリング２６４を担持し、チャンバ２６２はセレクタ２３４の内部周縁部内のセットバック２６６、棒２５０、およびリング２６４の間に設けられる。
【０１０７】
セレクタ２３４の変位を制御するための制御ダクトは、チャンバ２６２内で開くように棒２５０内に設けられている第１セグメント２６８、およびモータのケーシングの部分１’Ａ内に設けられている第２セグメント２７０を備える。セグメント２６８と２７０は、セグメント２７０と合致させて置かれている棒２５０によって相互接続され、それらは、棒の尾部２５０Ａと、ガスケットがばね２７４によって当接で保持されるそのケーシング部分１’Ａの間に置かれている密封ガスケット２７２によってモータの残りから分離される。ガスケットは「回転ガスケット」型であり、互いを基準にして回転している２つのパーツの間で回転密封を提供する。
【０１０８】
減圧チャンバ４６は、フランジ２５２とケーシング部分１’Ａの間に設けられ、漏れ戻りダクト２４８が接続されている空間２８０に接続される。この目的のため、セレクタは、フランジ２５２のさらに近くに位置しているセレクタのその端部にチャンバ４６を接続する少なくとも１つの軸に沿った穴２７８を具備し、前記フランジは、少なくとも１つの穴および空間２８０の中に開く長穴２８２を具備する。この例では、長穴はその２つの位置の間でセレクタ２３４の変位を誘導するためにキー２８４と協調する軸に沿った長穴２８２である。
【０１０９】
このようにして、セレクタ３４と２３４は、それらの変位を制御する手段が異なるという点で異なる。それ以外の場合、それらは類似して動作する。
【図面の簡単な説明】
【図１】本発明の半径ピストン油圧モータの軸に沿った断面図である。
【図２】その第１位置からその第２位置にセレクタを変位する多用な段階を示す断片的な軸に沿った断面図である。
【図３】それぞれ図２Ａ、図２Ｂ、図２Ｃおよび図２Ｄに示されている位置の、セレクタを入れるシリンダブロック穴の、およびセレクタのスライドの円筒面の断片的に展開された図である。
【図４】セレクタのスライドの変位の関数として、第１グループのシリンダのシリンダダクト、連通チャネル、および相互連通溝の間の連通断面の変動を示すグラフである。
【図５】セレクタの制御手段のクラッチ切断セレクタと制御ピストンの間の協調の３つの実現を示す。
【図６】クラッチ切断セレクタに加え、立方容量セレクタの存在を示す断片的な断面図である。
【図７】その第１位置と第２位置で示されている、セレクタの制御手段の変形を示す軸に沿った図である。
【図１】
0004657425.tif 000002
【図２】
0004657425.tif 000003
【図３】
0004657425.tif 000004
【図４】
0004657425.tif 000005
【図５】
0004657425.tif 000006
【図６】
0004657425.tif 000007
【図７】
0004657425.tif 000008